(57)【特許請求の範囲】
【請求項１】
前部に接続端子の基部を個々に保持し、先端に爪部を有する可撓片により前記接続端子に対し後方への移動を防止する手段を持つ複数の筒部を有し、後部に片面を開放面として前記接続端子の圧着部を配置した同形の２個のハウジングと、
前記開放面同士を向き合わせて配置した前記２個のハウジング間に介在し、前記各ハウジングに挿着した複数の前記接続端子に対し共通して作用する係止部を有する１個のホルダと、
前記接続端子を挿着した前記２個のハウジングと前記１個のホルダとの組立体を覆う外装カバーとから成り、
前記ホルダには、前記２個のハウジングの開放面同士を間隙を設けて配置した状態の仮係合状態に保持すると共に、前記２個のハウジングの開放面同士を閉塞し前記ホルダの係止部により前記接続端子の後方への移動を防止する本係合状態に保持する機構を設け、前記外装カバーは前記本係合状態における前記ハウジングと前記ホルダとの前記組立体を覆うことを特徴とする電気コネクタ。
【請求項２】
前記ハウジングの開放面に前記複数の接続端子を区分する仕切壁を設けたことを特徴とする請求項１に記載の電気コネクタ。
【請求項３】
前記外装カバーは前壁、上壁、両側壁を有し、底部に底部カバーを嵌合するようにしたことを特徴とする請求項１又は２に記載の電気コネクタ。
【請求項４】
前記外装カバーは前記底部を開放した状態で前記組立体を覆い、その後に前記底部を前記底部カバーにより閉止することを特徴とする請求項３に記載の電気コネクタ。
【請求項５】
前記外装カバーの前壁には、前記接続端子に対し相手側接続端子が入り込む端子挿通孔を設けたことを特徴とする請求項３又は４に記載の電気コネクタ。
【発明の詳細な説明】
【技術分野】
【０００１】
本発明は、小型の接続端子を収容するための電気コネクタに関するものである。
【背景技術】
【０００２】
例えば、自動車等の電気回路の接続に用いられる接続端子は、自動車の軽量化のために益々小型化されつつある。
【０００３】
一般に、電気コネクタのハウジング内において、収納した接続端子の係止は、ハウジング内に設けられた可撓性の係止ランスによっている。
【発明の開示】
【発明が解決しようとする課題】
【０００４】
しかし、接続端子が極度に小型化されると、射出成型によりハウジング内に係止ランスを成型することが困難となり、成型してもその大きさが小さいために係止力は弱いものである。
【０００５】
この問題を解決するために、ハウジングの後部に図１８に示すリアホルダ１を取り付けるようにし、このリアホルダ１に接続端子ごとに係止ランス２を付設することが、例えば特許文献１に開示されている。
【０００６】
しかし、このような構成によっても、なお例えばピッチ間１．５ｍｍの小型の接続端子に対する係止ランス２の成型は困難であり、係止力は十分ではない。
【０００７】
【特許文献１】特開２００４−３９５３５号公報
【０００８】
本発明の目的は、上述の課題を解消し、小型の接続端子であっても、大きな係止力により接続端子を固定し得る電気コネクタを提供することにある。
【課題を解決するための手段】
【０００９】
上記目的を達成するための本発明に係る電気コネクタは、前部に接続端子の基部を個々に保持し、先端に爪部を有する可撓片により前記接続端子に対し後方への移動を防止する手段を持つ複数の筒部を有し、後部に片面を開放面として前記接続端子の圧着部を配置した同形の２個のハウジングと、前記開放面同士を向き合わせて配置した前記２個のハウジング間に介在し、前記各ハウジングに挿着した複数の前記接続端子に対し共通して作用する係止部を有する１個のホルダと、前記接続端子を挿着した前記２個のハウジングと前記１個のホルダとの組立体を覆う外装カバーとから成り、前記ホルダには、前記２個のハウジングの開放面同士を間隙を設けて配置した状態の仮係合状態に保持すると共に、前記２個のハウジングの開放面同士を閉塞し前記ホルダの係止部により前記接続端子の後方への移動を防止する本係合状態に保持する機構を設け、前記外装カバーは前記本係合状態における前記ハウジングと前記ホルダとの前記組立体を覆うことを特徴とする。
【発明の効果】
【００１０】
本発明に係る電気コネクタによれば、接続端子の寸法がより小型化した場合においても、係止ランスを用いることがなく、ハウジング内の接続端子に対する係止部を有するホルダを取り付けるので、大きな端子係止力を確保できる。
【発明を実施するための最良の形態】
【００１１】
本発明を図１〜図１７に図示の実施例に基づいて詳細に説明する。
【００１２】
図１は使用する接続端子の平面図、図２は一部を切欠した縦断面図、図３は図２のＡ−Ａ線に沿った横断面図である。導電金属板を打ち抜き折曲して成る接続端子１１の前部には、基部となる相手側の挿込端子が嵌入する筒状の接続部１２が設けられ、中間部１３を経た後部に圧着部１４によって電線１５が接続されている。また、接続部１２の底部には切込部１６が形成されている。
【００１３】
図４は合成樹脂から成るハウジング２１の斜視図、図５は縦断面図、図６は底面図であり、本実施例では２個のハウジング２１が用いられる。ハウジング２１は例えば６個の接続端子１１を装着可能であり、その前部には、接続端子１１の接続部１２を個々に保持するための長手方向を向く６個の角筒部２２が配列されている。角筒部２２の底部には可撓片２３が設けられ、可撓片２３の内側には後方に傾斜面を有し前方に垂直壁を持つ爪部２４が設けられている。
【００１４】
また、ハウジング２１の後部の片面は開放面とされ、その両側には側板２５が設けられ、側板２５間の開放面上には長手方向に沿って６個の接続端子１１を区分するための５個の仕切壁２６が設けられている。更に、ハウジング２１の角筒部２２の両側及び側板２５の外側には、長手方向を向く上下２個ずつの係合溝部２７ａ、２７ｂ及び２８ａ、２８ｂがそれぞれ形成されている。
【００１５】
図７は合成樹脂から成るホルダ３１の斜視図、図８は縦断面図である。このホルダ３１の基板３２の前面の上下両面には、各接続端子１１の接続部１２の後部に係合して、各接続端子１１の後方移動を規制するための壁状の係止部３３が形成され、更に接続端子１１を仕切る仕切壁３４が設けられている。
【００１６】
また、基板３２の両側には側板３５が設けられており、側板３５の前後両端にはハウジング２１の係合溝部２７ａ、２７ｂ及び２８ａ、２８ｂに係合する爪状の係合部３６ａ、３６ｂ及び３７ａ、３７ｂが上下２個ずつ形成されている。
【００１７】
図９は合成樹脂から成る外装カバー４１の斜視図、図１０は縦断面図、図１１は底部カバー４２の斜視図である。外装カバー４１は上壁４３、前壁４４、両側壁４５が一体に構成されている。外装カバー４１の前壁４４には、ハウジング２１の角筒部２２に連通し、相手側接続端子が挿通される上下２段左右６列の端子挿通孔４６が形成されている。また、外装カバー４１の上壁４３の上部には、相手側コネクタの例えば外装カバーと錠止するための錠止レバー４７が設けられ、錠止レバー４７には錠止突起４８が形成され、錠止レバー４７は押圧部４９により操作できるようになっている。
【００１８】
外装カバー４１の底部の隅角部には、外装カバー４１の底部を閉止する底部カバー４２を固定するための孔部５０が設けられ、底部カバー４２にはこれらの孔部５０に嵌合する突起５１が設けられている。
【００１９】
図１２に示すように２個のハウジング２１の開放面を向き合わせて上下対称に配置し、ハウジング２１の開放面の間にホルダ３１を介在して、ホルダ３１の側板３５に設けた係合部３６ａ、３７ａをハウジング２１の係合溝部２７ｂ、２８ｂに仮係合する。
【００２０】
この状態において、接続端子１１をハウジング２１の後方から仕切壁２６を案内として先端の接続部１２が角筒部２２に十分に入るまで挿入する。図１３に示すように、接続端子１１はハウジング２１の角筒部２２への挿入により上下方向の移動が防止されると共に、爪部２４の切込部１６への嵌入により、接続端子１１はハウジング２１に係止される。
【００２１】
この状態において、図１４に示すようにハウジング２１の開放面を更に閉塞するように、ハウジング２１をホルダ３１側に押し込む。つまり、ホルダ３１の係合部３６ａ、３６ｂをハウジング２１の係合溝部２７ａ、２７ｂに係合し、係合部３７ａ、３７ｂを係合溝部２８ａ、２８ｂに係合して、２個のハウジング２１とホルダ３１を嵌合する。
【００２２】
これにより、ハウジング２１とホルダ３１とは本係合され、図１５に示すように接続端子１１の接続部１２の上壁の後端にホルダ３１の係止部３３が当接することにより、接続端子１１の後抜けが防止されることになる。
【００２３】
このようにして、接続端子１１を組込んだハウジング２１、ホルダ３１の組立体を、図１６に示すように外装カバー４１内に装着すると、ハウジング２１、ホルダ３１は外装カバー４１に、図示しない錠止機構により固定される。その後に図１７に示すように底部カバー４２を外装カバー４１に嵌合して、孔部５０、突起５１を用いて固定する。なお、底部カバー４２は外装カバー４１に対して別体でなくとも、外装カバー４１と一体にしてヒンジにより連結するようにしてもよい。そして、この外装カバー４１の前壁４４により、接続端子１１の前方向の移動が規制される。
【００２４】
この状態において、小型の接続端子１１はハウジング２１、ホルダ３１、外装カバー４１により前後方向及び上下方向への移動が強固に防止されることになる。そして、この電気コネクタは錠止レバー４７を用いて相手側電気コネクタと嵌合し、接続端子同士の接続により機能が発揮される。
【産業上の利用可能性】
【００２６】
なお、上述の実施例においては雌型の接続端子１１をハウジング２１に取り付けることについて説明したが、雄型の接続端子であっても同様に構成することができる。
【図面の簡単な説明】
【００２７】
【図１】接続端子の平面図である。
【図２】接続端子の一部を切欠した縦断面図である。
【図３】図２のＡ−Ａ線に沿った横断面図である。
【図４】ハウジングの斜視図である。
【図５】縦断面図である。
【図６】底面図である。
【図７】ホルダの斜視図である。
【図８】縦断面図である。
【図９】外装カバーの斜視図である。
【図１０】縦断面図である。
【図１１】底部カバーの斜視図である。
【図１２】ハウジングとホルダを仮係合した状態の斜視図である。
【図１３】ハウジングに接続端子を挿入した状態の縦断面図である。
【図１４】ハウジングとホルダとを本係合した状態の斜視図である。
【図１５】ハウジングとホルダとを本係合した状態の縦断面図である。
【図１６】ハウジングとホルダの組立体を外装カバーに装着した状態の縦断面図である。
【図１７】外装カバーに底部カバーを取り付けた状態の縦断面図である。
【図１８】従来例のリアホルダの斜視図である。
【符号の説明】
【００２８】
１１  接続端子
１２  接続部
１３  中間部
１４  圧着部
１５  電線
１６  切込部
２１  ハウジング
２２  角筒部
２６、３４  仕切壁
３１  ホルダ
３２  基板
３３  係止部
４１  外装カバー
４２  底部カバー
【図１】
0005064933.tif 000002
【図２】
0005064933.tif 000003
【図３】
0005064933.tif 000004
【図４】
0005064933.tif 000005
【図５】
0005064933.tif 000006
【図６】
0005064933.tif 000007
【図７】
0005064933.tif 000008
【図８】
0005064933.tif 000009
【図９】
0005064933.tif 000010
【図１０】
0005064933.tif 000011
【図１１】
0005064933.tif 000012
【図１２】
0005064933.tif 000013
【図１３】
0005064933.tif 000014
【図１４】
0005064933.tif 000015
【図１５】
0005064933.tif 000016
【図１６】
0005064933.tif 000017
【図１７】
0005064933.tif 000018
【図１８】
0005064933.tif 000019